【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
ネットワークを経由してクライアントの間で通信する方法であって、前記ネットワークは、関連するアドレスのドメインを持ち、また１つ以上のクライアントのデバイスと通信するようになっている複数のノードを含み、前記関連するアドレスはそのドメインに関して内部と外部に区分されており、
前記方法は、
無線で、前記のいくつかノードの間で、アドホック通信を行う段階と、前記各ノードは、１つ以上の個別の識別子と１つ以上の内部アドレスを有しており、
各クライアントのデバイスに対して、通信と、１つ以上のノードとの個別の関係を成立させる段階と、前記クライアントのデバイスはそれぞれ外部アドレスを持っており、
クライアントのデバイスの内のソースデバイスにおいて、クライアントのデバイスの内の１つ以上の宛て先に、ネットワークデータを通信する段階と、
ネットワークに対して内部に向けで、クライアントのデバイスに対してトランスピアレンスの形態で、各各の宛て先のノードである、あて先のクライアントのデバイスと、１つ以上の、あて先を示す識別子である各識別子を関連付ける各々のノードと、
宛て先のクライアントデバイスに対応する各宛て先を識別する識別子を決定し、各宛て先ノードの内部アドレスを決定し、各前記決定された内部アドレスを使って前記各宛て先ノードに通信を回信する段階とからなり、
前記各送ろうとする宛て先のクライアントデバイスが、前記ソースクライアントデバイスによって伝達されるデータを受信するようになっている
ことを特徴とする方法。
【請求項２】
ネットワークがインターネットプロトコルの通信である請求項１に記載の方法。
【請求項３】
ネットワークノードの複数のノードが、アドホック  メッシュ・ネットワークプロトコルを使用して他と互いに通信する請求項１に記載の方法。
【請求項４】
ネットワークノードの複数のノードが、オンデマンド・ルーチン・プロトコルを使用して他と互いに通信する請求項１に記載の方法。
【請求項５】
ネットワークノードの複数のノードが、プロアクティブ・ルーチン・プロトコルを使用して他と互いに通信する請求項１に記載の方法。
【請求項６】
ネットワークノードの複数のノードが、ユニキャスト、マルチキャスト、ブロードキャストのいずれか１つ又は複数によってサポートされている、１つのネットワークプロトコルを使用して他と互いに通信する請求項１に記載の方法。
【請求項７】
前記アドホックネットワークが前記ノードの数に関連したアドホックである請求項３に記載の方法。
【請求項８】
前記アドホックネットワークが前記ノードの位置に関連したアドホックである請求項３に記載の方法。
【請求項９】
前記アドホックネットワークが前記ノード周りの環境に関連したアドホックである請求項３に記載の方法。
【請求項１０】
前記アドホックネットワークが前記クライアントデバイスとそのノードの間の通信に関連したアドホックである請求項３に記載の方法。
【請求項１１】
前記ノードが、物理的に移動しているノードの形態である請求項１に記載の方法。
【請求項１２】
前記各クライアントデバイスと１つ以上の関連するノードとの通信が有線通信を含む請求項１に記載の方法。
【請求項１３】
前記各クライアントデバイスと１つ以上の関連するノードとの通信が無線通信を含む請求項１に記載の方法。
【請求項１４】
前記１つ以上のノードは多数のクライアントデバイスと通信状態にある請求項１に記載の方法。
【請求項１５】
前記１つ以上のノードが１つ以上のクライアントデバイスと、組み合わされて集積されており、その集積された組み合わせは１つ又は複数の共通の構成部となっている請求項１に記載の方法。
【請求項１６】
前記集積された組み合わせは無線のアクセス点になっている請求項１５に記載の方法。
【請求項１７】
前記各ノードは多数のトポロジィー的な方法で使われるように構成されている請求項１に記載の方法。
【請求項１８】
前記トポロジィー的な方法はリーフノード及びトランクノードの１つ又は２つを含む請求項１７に記載の方法。
【請求項１９】
前記ネットワークは、前記ノードの内から選択された１組のノードからなる、１つ以上の私設ネットワークを含み、前記私設ネットワークの各ノードは、選択されたノードから又は選択されたノードヘのホワードコミュニケーショントラフィックのみであるように構成されている、請求項１に記載の方法。
【請求項２０】
前記ネットワークを、１つ以上のサブネットワークに自動的に再構成するようになっている請求項１に記載の方法。
【請求項２１】
サブネットワークへの自動的に行われる再構成が、
ルーティング、ルーティング管理、セキュリティ管理、周波数、認証、濃度、識別、年齢、技術のうちの、１つ又はそれ以上の要因に基づいて行われる請求項２０に記載の方法。
【請求項２２】
宛て先ノードに関してアドレス情報がソースクライアントデバイスに供給されない請求項１に記載の方法。
【請求項２３】
宛て先に回信される通信が少なくとも、伝達されるデータと決定された内部アドレスを含む請求項１に記載の方法。
【請求項２４】
あて先のノードの変更に続いて、内部アドレスを決定する作業を繰り返す、請求項２３に記載の方法。
【請求項２５】
クライアントデバイスが１組のリソースを提供し、前記１組のリソースは、アプリケーション、印刷、ネットワークゲートウエイ、ダイナミック・ホスト・コンフィギュレーション・プロトコル（ＤＨＣＰ）、シンプル・メール・トランスファープロトコル（ＳＭＴＰ）、ベンディング/Ｅ―コマース、オーデオ、イメージング（映像）、ライティング（照明）、ユーティリティ、アプライアンス（使用器具）、トラベル（旅行）、通信、テレマティックス、救急/安全を含む請求項１に記載の方法。
【請求項２６】
宛て先のクライアントデバイスは、ソースクライアントデバイスと通信するために選択され、あて先のクライアントデバイスは宛て先のクライアントデバイスに関する１つ以上のノードと、ソースクライアントデバイスに関する１つ以上のノードと間のトポロジィー的な関係に少なくとも基づいて決められる候補のクライアントデバイスの１つ又は複数の中から選択される請求項１に記載の方法。
【請求項２７】
宛て先のクライアントデバイスは、ソースクライアントデバイスと通信するために選択され、行き先のクライアントデバイスは、行き先のクライアントデバイスに関する１つ以上のノードの位置に、少なくとも基づいて決められるクライアントデバイスの候補の内の、１つ又は複数の中から選択される請求項１に記載の方法。
【請求項２８】
無線通信によるネットワークを経由してリソースにアクセスするためのシステムであって、システムは、
多数のノードを含む自己構成形の無線ネットワークと、
多数のクライアントデバイスと、前記デバイスはネットワークの部分ではなく、各クライアントデバイスが前記ノードの内の関連するノードと通信するようになっており、
前記ネットワークが、クライアントデバイスはネットワークを通した通信によりお互いにアクセス可能に構成され、クライアントデバイスに対応する終端の識別子が関連するノードのアドレスへとマッピングされ、ネットワークを経由した通信が、関連したノードのアドレスをマッピングされた終点の識別子に基づいて回信され、
マッピングと通信がクライアントデバイスに対してトランスピアレントな方法で行われる
システム。
【請求項２９】
無線ネットワークにおいて使われ、ネットワークの外側と見なされるクライアントデバイスに連結するためのノードを有するネットワークであって、ネットワークは多数のノードを含み、
ネットワークを経由するマルチホップ伝送路を無線で通信するように用意された１つ以上のネットワークサイドのポートと、
１つ以上のクライアントデバイスと通信し、クライアントデバイスと関係付けするように用意された１つ以上のクライアントサイドのポートとを有しており、
各ノードは、
クライアントサイドのポートと関連付けが行われようになり、それにより、各クライアントデバイスが少なくとも前記ノードの少なくとも１つに関連付けが行われ、
各クライアントデバイスは前記少なくとも１つのクライアントサイドのポートを経由してネットワーク上を通信し、
クライアントデバイスに対応する終点の識別子が関連するノードのアドレスをマッピングされ、
ネットワーク上の伝送が前記関連するノードのマッピングされたアドレスに基づいた経路で通信され、
前記マッピングと前記通信がクライアントデバイスに対してトランスピアレントな方法で行われるように、
構成されているネットワーク。
【請求項３０】
クライアントデバイスは、すべてのクライアントサイドのポートに対して構成された単一の共通ＩＰアドレスを使って、ネットワークのそれらの関連するクライアントサイドのポートにアドレスを与えるようにする請求項２９に記載のネットワーク。
【請求項３１】
ネットワークサイドのポートは多数有する請求項２９に記載のネットワーク。
【請求項３２】
クライアントサイドのポートは多数有する請求項２９に記載のネットワーク。
【請求項３３】
ノードがサービスポイント（ＳＰ）、ネットワークがサービスポイントネットワークであり、クライアントデバイスが利用側デバイスであり、ソースクライアントデバイスが入力側のＳＰに関連する発信側利用デバイスであり、宛て先クライアントデバイスが終端のＳＰに関連する利用側デバイスであり、各あて先識別子が各終点ＳＰのサービスポートのポートＩＤである
請求項１に記載の方法。
【請求項３４】
少なくとも時間の多少により、ネットワークがクライアントデバイスに対して分配スイッチのように機能する請求項１に記載の方法。
【請求項３５】
内部アドレスを決定する動作が、少なくとも１つの宛て先クライアントデバイスの内部アドレスの変更を行う動作の間は、少なくとも１度以上繰り返す請求項１に記載の方法。
【請求項３６】
内部アドレスを決定する動作はネットワーク内において途中のルーチンホップにおいて実行される請求項１に記載の方法。
【請求項３７】
ソースクライアントデバイスに関連するノードがソースノードであり、内部アドレスを決定する動作が少なくともソースノードで行われる請求項１に記載の方法。
【請求項３８】
前記ソースノードが、ソースクライアントデバイスによって伝達されるデータにより提供される外部アドレスに少なくとも基づいて、内部アドレスを決定する、請求項３７に記載の方法。
【請求項３９】
内部アドレスを決定する動作が、外部アドレスによって指示されたマッピングテーブルを使って実行され、前記テーブルの内容はソースクライアントデバイスにより伝達されたデータにより提供された外部アドレスに基づいて実行される請求項１に記載の方法。
【請求項４０】
前記テーブルの内容はソースクライアントデバイスに関連するノードにより少なくとも実行される請求項３９に記載の方法。
【請求項４１】
前記テーブルの一例が、ソースクライアントデバイスに関連するノードに少なくとも記憶されている請求項４０に記載の方法。
【請求項４２】
前記テーブルの一例が各ノードに記憶されている請求項４０に記載の方法。
【請求項４３】
前記テーブルの内容は行き先の識別子を含み、内部アドレスの宛て先の識別子とは区別され、暗号のキーを含む請求項３９に記載の方法。
【請求項４４】
各宛て先のノードは、宛て先クライアントデバイス、宛て先識別子、宛て先ノードの内部アドレス、ソースノードの内部アドレスのいずれに対しても、閉鎖されていない請求項１に記載の方法。